(57)【要約】［課題］簡素な構成で、送信信号に基づき他の無線通信機と識別されることを防ぐことができる無線通信機、無線通信システム、無線通信方法、および無線通信用プログラムを提供する。［解決手段］増幅部１１が、信号を増幅して送信信号を生成する。処理部１２が、信号および送信信号のうち少なくとも一方に処理を施す。記憶部１３には、処理に用いられるパラメータが複数記憶されている。パラメータ選択部１４が、記憶部１３に記憶されている複数のパラメータのうち一のパラメータを選択する。そして、処理部１２が、パラメータ選択部１４が選択した一のパラメータに基づいて、処理を行う。
2017221918.tif 000002
【特許請求の範囲】
【請求項１】
信号を増幅して送信信号を生成する増幅手段と、
前記信号および前記送信信号のうち少なくとも一方に処理を施す処理手段と、
前記処理に用いられるパラメータが複数記憶された記憶手段と、
前記記憶手段に記憶されている複数のパラメータのうち一のパラメータを選択するパラメータ選択手段とを備え、
前記処理手段は、前記パラメータ選択手段が選択した前記一のパラメータに基づいて、前記処理を行う
ことを特徴とする無線通信機。
【請求項２】
前記パラメータ選択手段は、前記記憶手段に記憶されている複数のパラメータのうち一のパラメータをランダムに選択する
ことを特徴とする請求項１に記載の無線通信機。
【請求項３】
前記処理手段は、入力信号に応じて搬送波を変調する変調処理を行う変調手段を含み、
前記増幅手段は、前記変調手段による変調処理後の信号を増幅し、
前記記憶手段には、前記変調処理に用いられるパラメータが複数記憶され、
前記変調手段は、前記パラメータ選択手段が選択した前記一のパラメータに基づいて、前記変調処理を行う
ことを特徴とする請求項１または請求項２に記載の無線通信機。
【請求項４】
前記処理手段は、前記増幅手段の歪特性に応じて、前記増幅手段に入力される前記信号に歪補償処理を施す歪補償手段を含み、
前記記憶手段には、前記歪補償処理に用いられるパラメータが複数記憶され、
前記歪補償手段は、前記パラメータ選択手段が選択した前記一のパラメータに基づいて、前記信号に前記歪補償処理を施す
ことを特徴とする請求項１から請求項３のうちいずれか１項に記載の無線通信機。
【請求項５】
前記記憶手段には、前記増幅手段の複数の出力設定値に応じたパラメータがそれぞれ記憶され、
前記増幅手段は、前記パラメータ選択手段が選択した前記一のパラメータに基づいて、前記信号を増幅する
ことを特徴とする請求項１から請求項４のうちいずれか１項に記載の無線通信機。
【請求項６】
前記記憶手段には、前記増幅手段に供給し得る複数種類の電源電圧に応じたパラメータがそれぞれ記憶され、
前記パラメータ選択手段が選択した前記一のパラメータに基づいて、前記増幅手段に供給する電源電圧を制御する制御手段を含む
ことを特徴とする請求項１から請求項５のうちいずれか１項に記載の無線通信機。
【請求項７】
前記増幅手段が生成した前記送信信号に減衰処理を施す減衰手段を含み、
前記記憶手段には、前記減衰手段における減衰処理に応じたパラメータが複数記憶され、
前記減衰手段は、前記パラメータ選択手段が選択した前記一のパラメータに基づいて、前記送信信号に減衰処理を施し
減衰処理が施された前記送信信号が送信される
ことを特徴とする請求項１から請求項６のうちいずれか１項に記載の無線通信機。
【請求項８】
請求項１から請求項７のうちいずれかに記載の無線通信機によって送信された前記送信信号を受信する受信ユニットを備えた
ことを特徴とする無線通信機。
【請求項９】
請求項１から請求項８のうちいずれかに記載の無線通信機を複数備えた
ことを特徴とする無線通信システム。
【請求項１０】
信号を増幅して送信信号を生成し、
前記信号および前記送信信号のうち少なくとも一方に処理を施し、
前記処理に用いられるパラメータが複数記憶された記憶手段に記憶されている複数のパラメータのうち一のパラメータを選択し、
前記処理を、選択した前記一のパラメータに基づいて行う
ことを特徴とする無線通信方法。
【請求項１１】
コンピュータに、
信号を増幅して送信信号を生成する増幅処理と、
前記信号および前記送信信号のうち少なくとも一方に処理を施す信号処理と、
前記信号処理に用いられるパラメータが複数記憶された記憶手段に記憶されている複数のパラメータのうち一のパラメータを選択するパラメータ選択処理とを実行させ、
前記信号処理を、前記パラメータ選択処理において選択された前記一のパラメータに基づいて行わせる
ための無線通信用プログラムが記憶された記憶媒体。
【発明の詳細な説明】
【技術分野】
【０００１】
本発明は、送信信号に基づき他の無線通信機と識別されることを防ぐことができる無線通信機、無線通信システム、無線通信方法、および無線通信用プログラムに関する。
【背景技術】
【０００２】
無線通信機には、送信用信号を増幅するための増幅器が搭載されている。そして、当該増幅器は、入力された送信用信号を所定の増幅率で増幅し、増幅後の送信信号をアンテナに入力する。入力された送信信号は、アンテナを介して送信される。【０００３】
そのような増幅器が送信用信号の増幅を開始した場合における送信信号の立ち上がり波形は、各増幅器に応じて異なる。つまり、増幅器の個体差に応じて、送信信号の立ち上がり波形が互いに異なる。そして、送信信号の立ち上がり波形を観察することによって、当該送信信号が増幅された増幅器が搭載されている無線通信機を、他の無線通信機と識別することが可能になる。【０００４】
特許文献１には、ハイレベルとローレベルとの間で遷移を繰り返す信号において、立ち上がり時間と立ち下がり時間とを制御する信号制御回路が記載されている。
【先行技術文献】
【特許文献】
【０００５】
【特許文献１】特開２００６−６７４９７号公報
【発明の概要】
【発明が解決しようとする課題】
【０００６】
しかし、各無線通信機がそれぞれ互いに識別された場合に、セキュリティ等の問題が生じることが考えられる。【０００７】
特許文献１に記載された信号制御回路は、送信用信号がハイレベルとローレベルとの間を遷移するタイミングで、遷移に要する時間を制御するように構成されている。したがって、無線通信周波数の信号に対応するためには高速で制御処理を行わなければならず、構成が複雑になってしまう等の問題が生じうる。【０００８】
そこで、本発明は、簡素な構成で、送信信号に基づき他の無線通信機と識別されることを防ぐことができる無線通信機、無線通信システム、無線通信方法、および無線通信用プログラムを提供することを目的とする。
【課題を解決するための手段】
【０００９】
本発明による無線通信機は、信号を増幅して送信信号を生成する増幅手段と、信号および送信信号のうち少なくとも一方に処理を施す処理手段と、処理に用いられるパラメータが複数記憶された記憶手段と、記憶手段に記憶されている複数のパラメータのうち一のパラメータを選択するパラメータ選択手段とを備え、処理手段は、パラメータ選択手段が選択した一のパラメータに基づいて、処理を行うことを特徴とする。【００１０】
本発明による無線通信機は、いずれかの態様の無線通信機によって送信された送信信号を受信する受信ユニットを備えたことを特徴とする。【００１１】
本発明による無線通信システムは、いずれかの態様の無線通信機を複数備えたことを特徴とする。【００１２】
本発明による無線通信方法は、信号を増幅して送信信号を生成し、信号および送信信号のうち少なくとも一方に処理を施し、処理に用いられるパラメータが複数記憶された記憶手段に記憶されている複数のパラメータのうち一のパラメータを選択し、処理を、選択した一のパラメータに基づいて行うことを特徴とする。【００１３】
本発明による無線通信用プログラムは、コンピュータに、信号を増幅して送信信号を生成する増幅処理と、信号および送信信号のうち少なくとも一方に処理を施す信号処理と、信号処理に用いられるパラメータが複数記憶された記憶手段に記憶されている複数のパラメータのうち一のパラメータを選択するパラメータ選択処理とを実行させ、信号処理を、パラメータ選択処理において選択された一のパラメータに基づいて行わせることを特徴とする。
【発明の効果】
【００１４】
本発明によれば、送信信号に基づき他の無線通信機と識別されることを防ぐことができる。
【図面の簡単な説明】
【００１５】
【図１】本発明の第１の実施形態の無線通信機の構成例を示すブロック図である。
【図２】本発明の第１の実施形態の無線通信機における入力信号処理部の構成例を示すブロック図である。
【図３】本発明の第１の実施形態の無線通信機における制御部の構成例を示すブロック図である。
【図４】本発明の第１の実施形態の無線通信機の動作を示すフローチャートである。
【図５】本発明の第１の実施形態の無線通信機の送信信号の立ち上がり波形の例を示す説明図である。
【図６】本発明の第２の実施形態の無線通信機における入力信号処理部の構成例を示すブロック図である。
【図７】本発明の第２の実施形態の無線通信機の動作を示すフローチャートである。
【図８】本発明の第３の実施形態の無線通信機の構成例を示すブロック図である。
【図９】本発明の第３の実施形態の無線通信機の動作を示すフローチャートである。
【図１０】本発明の第４の実施形態の無線通信機の例を示すブロック図である。
【図１１】本発明の第４の実施形態の無線通信機の動作を示すフローチャートである。
【図１２】本発明の第５の実施形態の無線通信機の構成例を示すブロック図である。
【発明を実施するための形態】
【００１６】
実施形態１．
本発明の第１の実施形態の無線通信機について、図面を参照して説明する。図１は、本発明の第１の実施形態の無線通信機１００の構成例を示すブロック図である。なお、図１には、無線通信機１００において後述するアンテナ１４０を介して送信信号を送信する送信ユニットが示されている。しかし、無線通信機１００は、送信ユニットと、例えば、送信ユニットによって送信された送信信号を受信して当該送信信号に応じた音声等を出力する出力ユニット（受信ユニット）とを含む。そして、図１には、そのような出力ユニット１０２を含む無線通信機１０１も示されているが、本例では、送信ユニットの構成について述べる。
【００１７】
図１に示すように、本発明の第１の実施形態の無線通信機１００の送信ユニットは、入力信号処理部１１０、増幅部１２０、および制御部１３０を含む。
【００１８】
入力信号処理部１１０は、入力された入力信号に処理を施し、処理後の送信用信号を増幅部１２０に入力する。
【００１９】
増幅部１２０には、アンテナ１４０が接続されている。そして、増幅部１２０は、入力信号処理部１１０が入力した送信用信号を増幅し、増幅後の送信信号をアンテナ１４０に入力する。
【００２０】
アンテナ１４０は、増幅部１２０が入力した送信信号を電波に変換する。そして、電波に変換された送信信号はアンテナ１４０から送信される。
【００２１】
制御部１３０は、入力信号処理部１１０が入力信号に施す処理を制御する。
【００２２】
なお、制御部１３０は、例えば、プログラム制御に従って処理を実行するＣＰＵ（Ｃｅｎｔｒａｌ  Ｐｒｏｃｅｓｓｉｎｇ  Ｕｎｉｔ）や複数の回路によって実現される。
【００２３】
図２は、入力信号処理部１１０の構成例を示すブロック図である。本実施形態では、入力信号処理部１１０に、アナログの音声信号が入力されるとする。そして、図２に示すように、本実施形態の入力信号処理部１１０は、Ａ−Ｄ（Ａｎａｌｏｇ  ｔｏ  Ｄｉｇｉｔａｌ）変換部１１１、およびデジタル変調部１１２を含む。
【００２４】
Ａ−Ｄ変換部１１１は、入力されたアナログの音声信号に標本化、量子化、および符号化の処理を施し、当該アナログの音声信号をデジタルの音声信号に変換する。そして、Ａ−Ｄ変換部１１１は、変換後のデジタルの音声信号をデジタル変調部１１２に入力する。
【００２５】
デジタル変調部１１２は、制御部１３０の制御に従って、Ａ−Ｄ変換部１１１が入力したデジタルの音声信号で、所定の搬送波を所定のデジタル変調方式で変調する。そして、デジタル変調部１１２は、変調後の信号である送信用信号を増幅部１２０に入力する。
【００２６】
図３は、制御部１３０の構成例を示すブロック図である。図３に示すように、本実施形態の制御部１３０は、記憶部１３１、および指示部１３２を含む。記憶部１３１には、例えば、デジタル変調部１１２が音声信号に施すデジタル変調方式に応じて、複数のパラメータが記憶されている。
【００２７】
具体的には、例えば、デジタル変調部１１２が音声信号に振幅偏移変調を施すように構成されている場合に、記憶部１３１に、複数の振幅に応じたパラメータがそれぞれ記憶されている。また、例えば、デジタル変調部１１２が音声信号に位相偏移変調を施すように構成されている場合に、記憶部１３１に、複数の位相に応じたパラメータがそれぞれ記憶されている。例えば、デジタル変調部１１２が音声信号に周波数偏移変調を施すように構成されている場合に、記憶部１３１に、複数の中心周波数に応じたパラメータがそれぞれ記憶されている。
【００２８】
指示部１３２は、記憶部１３１に記憶されている複数のパラメータのうち、いずれか１つを選択して、デジタル変調部１１２に入力する。
【００２９】
次に、本発明の第１の実施形態の無線通信機１００の動作について説明する。図４は、本発明の第１の実施形態の無線通信機１００の動作を示すフローチャートである。
【００３０】
例えば、無線通信機１００のＰＴＴ（Ｐｕｓｈ  Ｔｏ  Ｔａｌｋ）ボタン（図示せず）が押下され、図４に示すように、音声信号がＡ−Ｄ変換部１１１に入力された場合に（ステップＳ１０１のＹ）、以下の処理を行う。すなわち、Ａ−Ｄ変換部１１１が、入力されたアナログの音声信号をデジタルの音声信号に変換する（ステップＳ１０２）。そして、Ａ−Ｄ変換部１１１は、変換後のデジタルの音声信号をデジタル変調部１１２に入力する。
【００３１】
また、制御部１３０の指示部１３２が、記憶部１３１に記憶されている複数のパラメータのうち、いずれか１つを選択して、デジタル変調部１１２に入力する（ステップＳ１０３）。
【００３２】
なお、制御部１３０において、記憶部１３１には、例えば、テーブル形式で各パラメータが記憶され、指示部１３２は、例えば、乱数生成手段（図示せず）が生成した、乱数に基づいて、記憶部１３１に記憶されているパラメータを選択する。そして、指示部１３２は、選択したパラメータをデジタル変調部１１２に入力する。
【００３３】
デジタル変調部１１２は、制御部１３０が入力したパラメータに基づいて、入力された音声信号で搬送波にデジタル変調を施す（ステップＳ１０４）。そして、デジタル変調部１１２は、変調後の信号である送信用信号を増幅部１２０に入力する。
【００３４】
したがって、デジタル変調部１１２は、記憶部１３１に記憶されているパラメータのうち、いずれかのパラメータに基づいて、入力された音声信号で搬送波にデジタル変調を施す。
【００３５】
よって、デジタル変調部１１２が音声信号に振幅偏移変調を施すように構成され、記憶部１３１に振幅に応じたパラメータが記憶されている場合に、パラメータに応じた振幅にデジタル変調された送信用信号が、増幅部１２０に入力される。
【００３６】
また、デジタル変調部１１２が音声信号に位相偏移変調を施すように構成され、記憶部１３１に位相に応じたパラメータが記憶されている場合に、パラメータに応じた位相にデジタル変調された送信用信号が、増幅部１２０に入力される。
【００３７】
デジタル変調部１１２が音声信号に周波数偏移変調を施すように構成され、記憶部１３１に周波数に応じたパラメータが記憶されている場合に、パラメータに応じた中心周波数にデジタル変調された送信用信号が、増幅部１２０に入力される。
【００３８】
増幅部１２０は、入力信号処理部１１０が入力した送信用信号を増幅し、増幅後の送信信号をアンテナ１４０に入力する（ステップＳ１０５）。そして、送信信号は、アンテナ１４０によって電波に変換されて送信される。
【００３９】
本実施形態によれば、制御部１３０が、デジタル変調部１１２が処理に用いるパラメータをランダムに選択する。そして、デジタル変調部１１２が、ランダムに選択されたパラメータに基づいて、音声信号で搬送波をデジタル変調する。デジタル変調された送信用信号が増幅部１２０によって増幅された送信信号は、アンテナ１４０を介して送信される。
【００４０】
したがって、ランダムに選択されたパラメータに基づく変調に応じた送信信号が送信される。よって、本発明の第１の実施形態の無線通信機１００は、デジタル変調の処理に用いられるパラメータがランダムに選択されるようにするという簡素な構成で、送信信号の立ち上がり波形をランダムに変化させることができる。そして、送信信号に基づき他の無線通信機と識別されることを防ぐことができる。
【００４１】
図５は、本発明の第１の実施形態の無線通信機１００の送信信号の立ち上がり波形の例を示す説明図である。図５には、一のパラメータに基づく変調に応じた送信信号が実線で描かれ、他の一のパラメータに基づく変調に応じた送信信号が破線で描かれている。図５に示すように、変調に用いられたパラメータに応じて立ち上がり波形が互いに異なる。したがって、実線で描かれた立ち上がり波形の送信信号と、破線で描かれた立ち上がり波形の送信信号とがいずれも無線通信機１００によって送信されたと認識されることを防止できる。つまり、無線通信機１００によって送信された送信信号の立ち上がり波形が特定されることを防ぐことができる。よって、送信信号に基づいて、無線通信機１００と他の無線通信機とを識別されることを防ぐことができる。
【００４２】
なお、本例では、無線通信機１００にアナログの音声信号が入力されるとして説明したが、文字データや数字データ等のデジタルデータがデジタル変調部１１２に入力されるように構成されていてもよい。
【００４３】
実施形態２．
本発明の第２の実施形態の無線通信機２００について説明する。本実施形態の無線通信機２００は、入力信号処理部２１０が、増幅部１２０の非線形特性に応じたプレディストータ２１３を含む点で、第１の実施形態における無線通信機１００と異なる。本実施形態の無線通信機２００におけるその他の構成は、図１に示す第１の実施形態における無線通信機１００における構成と同様なため、対応する要素には図１と同じ符号を付して説明を省略する。なお、制御部１３０の記憶部１３１には、増幅部１２０の歪特性を補償するための複数のパラメータが記憶されているとする。増幅部１２０の歪特性とは、増幅部１２０に入力された信号に対する、増幅部１２０から出力された信号の歪みの特性をいい、例えば、非線形特性である。
【００４４】
図６は、本発明の第２の実施形態の無線通信機２００における入力信号処理部２１０の構成例を示すブロック図である。図６に示すように、本発明の第２の実施形態の無線通信機２００における入力信号処理部２１０は、Ａ−Ｄ変換部１１１、デジタル変調部１１２、およびプレディストータ２１３を含む。
【００４５】
ここで、Ａ−Ｄ変換部１１１は、変換後のデジタルの音声信号をプレディストータ２１３に入力する。
【００４６】
プレディストータ２１３は、記憶部１３１に記憶されているパラメータに基づいて、デジタルの音声信号に歪補償処理を施す。そして、プレディストータ２１３は、歪補償処理を施した音声信号をデジタル変調部１１２に入力する。
【００４７】
なお、プレディストータ２１３が、アナログの音声信号に歪補償処理を施してＡ−Ｄ変換部１１１に入力し、Ａ−Ｄ変換部１１１が、歪補償処理が施されたアナログの音声信号をデジタルの音声信号に変換してデジタル変調部１１２に入力するように構成されていてもよい。
【００４８】
次に、本発明の第２の実施形態の無線通信機２００の動作について説明する。図７は、本発明の第２の実施形態の無線通信機２００の動作を示すフローチャートである。本発明の第２の実施形態の無線通信機２００において、図４に示す本発明の第１の実施形態の無線通信機１００の動作におけるステップＳ１０３，Ｓ１０４の処理に代えて、以下のステップＳ２０３〜Ｓ２０５の処理が行われる。そこで、本実施形態について、ステップＳ２０３〜Ｓ２０５の処理について説明し、その他の処理については説明を省略する。
【００４９】
ステップＳ２０３の処理で、制御部１３０の指示部１３２が、記憶部１３１に記憶されている複数のパラメータのうち、いずれか１つを選択して、プレディストータ２１３に入力する（ステップＳ２０３）。
【００５０】
なお、制御部１３０において、記憶部１３１には、例えば、テーブル形式で各パラメータが記憶され、指示部１３２は、例えば、乱数生成手段（図示せず）が生成した、乱数に基づいて、記憶部１３１に記憶されているパラメータを選択する。そして、指示部１３２は、選択したパラメータをプレディストータ２１３に入力する。
【００５１】
プレディストータ２１３は、入力されたパラメータに基づいて、Ａ−Ｄ変換部１１１が入力したデジタルの音声信号に、歪補償処理を施す（ステップＳ２０４）。そして、プレディストータ２１３は、歪補償処理を施した音声信号をデジタル変調部１１２に入力する。
【００５２】
デジタル変調部１１２は、入力された音声信号で搬送波に所定のデジタル変調を施す（ステップＳ２０５）。そして、デジタル変調部１１２は、変調後の信号である送信用信号を増幅部１２０に入力する。
【００５３】
本実施形態によれば、制御部１３０が、プレディストータ２１３が歪補償処理に用いるパラメータをランダムに選択する。そして、プレディストータ２１３が、ランダムに選択されたパラメータに基づいて、音声信号に歪補償処理を施す。歪補償処理が施されてデジタル変調された送信用信号が増幅部１２０によって増幅された送信信号は、アンテナ１４０を介して送信される。
【００５４】
したがって、ランダムに選択されたパラメータに基づく歪補償処理に応じた送信信号が送信される。よって、本発明の第２の実施形態の無線通信機２００は、歪補償処理に用いられるパラメータがランダムに選択されるようにするという簡素な構成で、送信信号の立ち上がり波形をランダムに変化させることができる。そして、送信信号に基づき他の無線通信機と識別されることを防ぐことができる。
【００５５】
実施形態３．
次に、本発明の第３の実施形態の無線通信機３００について、図面を参照して説明する。図８は、本発明の第３の実施形態の無線通信機３００の構成例を示すブロック図である。本実施形態の無線通信機３００は、制御部３３０と、制御部３３０に接続された増幅部３２０を含む点で、図１に示す第１の実施形態の無線通信機１００と異なる。その他の構成要素は図１に示す第１の実施形態の無線通信機１００における構成要素と同様なため、対応する構成要素には図１と同じ符号を付して説明を省略する。
【００５６】
図８に示すように、制御部３３０は、記憶部３３１、および指示部３３２を含む。記憶部３３１には、例えば、増幅部３２０の出力設定値に応じて、複数のパラメータが記憶されている。
【００５７】
指示部３３２は、記憶部３３１に記憶されている複数のパラメータのうち、いずれか１つを選択して、増幅部３２０に入力する。
【００５８】
増幅部３２０は、指示部３３２が入力したパラメータに基づく出力レベルで、送信信号を出力する。
【００５９】
次に、本発明の第３の実施形態の無線通信機３００の動作について説明する。図９は、本発明の第３の実施形態の無線通信機３００の動作を示すフローチャートである。本発明の第３の実施形態の無線通信機３００において、図４に示す本発明の第１の実施形態の無線通信機１００におけるステップＳ１０３〜Ｓ１０５の処理に代えて、以下のステップＳ３０３〜Ｓ３０５の処理が行われる。そこで、本実施形態について、ステップＳ３０３〜Ｓ３０５の処理について説明し、その他の処理については説明を省略する。
【００６０】
ステップＳ３０３の処理で、制御部３３０の指示部３３２が、記憶部３３１に記憶されている複数のパラメータのうち、いずれか１つを選択して、増幅部３２０に入力する（ステップＳ３０３）。
【００６１】
なお、制御部３３０において、記憶部３３１には、例えば、テーブル形式で各パラメータが記憶され、指示部３３２は、例えば、乱数生成手段（図示せず）が生成した、乱数に基づいて、記憶部３３１に記憶されているパラメータを選択する。そして、指示部３３２は、選択したパラメータを増幅部３２０に入力する。ここで、例えば、増幅部３２０の定格出力が３Ｗである場合に、記憶部３３１には、パラメータとして、＋０．１〜−０．１の範囲の値が記憶されているとする。
【００６２】
デジタル変調部１１２は、入力された音声信号で搬送波に所定のデジタル変調を施す（ステップＳ３０４）。そして、デジタル変調部１１２は、変調後の信号である送信用信号を増幅部３２０に入力する。
【００６３】
増幅部３２０は、ステップＳ３０３の処理で制御部３３０が入力したパラメータに基づく出力レベルで、送信用信号を増幅し、増幅後の送信信号をアンテナ１４０に入力する（ステップＳ３０５）。具体的には、例えば、増幅部３２０の定格出力が３Ｗであり、ステップＳ３０３の処理で選択されたパラメータが「＋０．１」であった場合に、増幅部３２０は、３．１Ｗの出力レベルで送信用信号を増幅する。そして、増幅された送信信号は、アンテナ１４０によって電波に変換されて送信される。
【００６４】
本実施形態によれば、制御部３３０が、増幅部３２０が出力する送信信号の出力レベルに応じたパラメータをランダムに選択する。そして、増幅部３２０が、ランダムに選択されたパラメータに基づいて、送信用信号を増幅する。増幅後の送信信号が、アンテナ１４０を介して送信される。
【００６５】
したがって、ランダムに選択されたパラメータに基づく出力レベルの送信信号が送信される。よって、本発明の第３の実施形態の無線通信機３００は、送信信号の出力レベルを決定するためのパラメータがランダムに選択されるようにするという簡素な構成で、送信信号の立ち上がり波形をランダムに変化させることができる。そして、送信信号に基づき他の無線通信機と識別されることを防ぐことができる。
【００６６】
なお、第３の実施形態では、増幅部３２０の出力レベルをパラメータに基づいて制御して、送信信号の立ち上がり波形を変化させるように構成されているが、前述した方法に代えて、または前述した方法とともに、他の方法が用いられてもよい。
【００６７】
具体的には、例えば、記憶部３３１に、パラメータとして、増幅部３２０に供給される電源電圧に応じた値が記憶されていてもよい。
【００６８】
より具体的には、例えば、増幅部３２０の定格出力電力が１０ｄＢｍである場合に、記憶部３３１には、パラメータとして、０．９〜１．１の範囲の値が記憶されているとする。また、例えば、増幅部３２０の定格出力電力が２０ｄＢｍである場合に、記憶部３３１には、パラメータとして、１．３〜１．５の範囲の値が記憶されているとする。例えば、増幅部３２０の定格出力電力が３０ｄＢｍである場合に、記憶部３３１には、パラメータとして、２．８〜３．０の範囲の値が記憶されているとする。
【００６９】
そして、制御部３３０の指示部３３２が、記憶部３３１に記憶されている複数のパラメータのうち、乱数等を用いていずれか１つをランダムに選択し、選択したパラメータに応じた電源電圧を増幅部３２０に供給する。
【００７０】
すると、電源電圧に応じて、増幅部３２０の入出力特性が変化する。したがって、ランダムに選択されたパラメータに基づく電源電圧に応じた入出力特性で出力された送信信号が送信される。よって、増幅部３２０に供給する電源電圧を決定するためのパラメータがランダムに選択されるようにするという簡素な構成で、無線通信機の送信信号の立ち上がり波形をランダムに変化させることができる。そして、送信信号に基づき他の無線通信機と識別されることを防ぐことができる。
【００７１】
実施形態４．
次に、本発明の第４の実施形態について、図面を参照して説明する。図１０は、本発明の第４の実施形態の無線通信機４００の例を示すブロック図である。図１０に示すように、本発明の第４の実施形態の無線通信機４００は、減衰部４５０と制御部４３０とを含む点で、第１の実施形態の無線通信機１００と異なる。その他は図１に示す無線通信機１００と同様な構成のため、対応する構成要素には図１と同じ符号を付して説明を省略する。
【００７２】
なお、入力信号処理部１１０は、パラメータに応じた処理を行う機能を有していなくてもよい。
【００７３】
図１０に示すように、制御部４３０は、記憶部４３１、および指示部４３２を含む。記憶部４３１には、例えば、減衰部４５０の減衰率に応じた複数のパラメータが記憶されている。
【００７４】
指示部４３２は、記憶部４３１に記憶されている複数のパラメータのうち、いずれか１つを選択して、減衰部４５０に入力する。
【００７５】
減衰部４５０は、指示部４３２が入力したパラメータに基づく減衰率で、入力された送信信号を減衰させてアンテナ１４０に入力する。なお、減衰部４５０は、例えば、デジタルステップアッテネータである。
【００７６】
次に、本発明の第４の実施形態の無線通信機４００の動作について説明する。図１１は、本発明の第４の実施形態の無線通信機４００の動作を示すフローチャートである。本発明の第４の実施形態の無線通信機４００において、図４に示す本発明の第１の実施形態の無線通信機１００におけるステップＳ１０３〜Ｓ１０５の処理に代えて、以下のステップＳ４０３〜Ｓ４０６の処理が行われる。そこで、本実施形態について、ステップＳ４０３〜Ｓ４０６の処理について説明し、その他の処理については説明を省略する。
【００７７】
ステップＳ４０３の処理で、制御部４３０の指示部４３２が、記憶部４３１に記憶されている複数のパラメータのうち、いずれか１つを選択して、減衰部４５０に入力する（ステップＳ４０３）。
【００７８】
なお、制御部４３０において、記憶部４３１には、例えば、テーブル形式で各パラメータが記憶され、指示部４３２は、例えば、乱数生成手段（図示せず）が生成した乱数に基づいて、記憶部４３１に記憶されているパラメータを選択する。そして、指示部４３２は、選択したパラメータを減衰部４５０に入力する。ここで、例えば、記憶部３３１には、パラメータとして、０〜０．５の範囲の値が記憶されているとする。
【００７９】
デジタル変調部１１２は、入力された音声信号で搬送波に所定のデジタル変調を施す（ステップＳ４０４）。そして、デジタル変調部１１２は、変調後の信号である送信用信号を増幅部１２０に入力する。
【００８０】
増幅部１２０は、入力信号処理部１１０が入力した送信用信号を増幅し、増幅後の送信信号を減衰部４５０に入力する（ステップＳ４０５）。
【００８１】
減衰部４５０は、ステップＳ４０５の処理で入力された送信信号を、ステップＳ４０３の処理で入力されたパラメータに応じた減衰率で減衰させて、アンテナ１４０に入力する（ステップＳ４０６）。具体的には、例えば、パラメータが「０．１」であった場合に、減衰部４５０は、送信信号を０．１ｄＢ減衰させる。そして、送信信号は、アンテナ１４０によって電波に変換されて送信される。
【００８２】
本実施形態によれば、制御部４３０が、減衰部４５０が送信信号を減衰させる減衰率に応じたパラメータをランダムに選択する。そして、減衰部４５０が、ランダムに選択されたパラメータに基づく減衰率で送信信号を減衰させる。減衰部４５０によって減衰された送信信号は、アンテナ１４０を介して送信される。
【００８３】
したがって、ランダムに選択されたパラメータに基づき減衰された送信信号が送信される。よって、本発明の第４の実施形態の無線通信機４００は、送信信号を減衰させる減衰率を決定するためのパラメータがランダムに選択されるようにするという簡素な構成で、送信信号の立ち上がり波形をランダムに変化させることができる。そして、送信信号に基づき他の無線通信機と識別されることを防ぐことができる。
【００８４】
なお、本例では、送信用信号が増幅部１２０によって増幅された送信信号が、減衰部４５０によって減衰されるように構成されているが、送信用信号が減衰部４５０に相当する減衰手段によって減衰されるように構成されていてもよい。
【００８５】
また、以上に述べた各実施形態の２つ以上が、互いに組み合わされて無線通信機に搭載されてもよい。具体的には、第１の実施形態のように一のパラメータに基づきデジタル変調を行い、さらに、第２の実施形態のように他の一のパラメータに基づき歪補償処理を行うように構成されていてもよい。また、それらの一方または両方とともに、第３の実施形態のようにさらに他の一のパラメータに基づき増幅部３２０の出力が制御されるように構成されていてもよい。それらだけでなく、それらのいずれか一以上とともに、第４の実施形態のようにさらなる他の一のパラメータに基づき減衰部４５０における減衰処理が行われるように構成されていてもよい。
【００８６】
そのような構成によれば、無線通信機が送信した送信信号の立ち上がり波形のランダム性をさらに高めることができる。したがって、送信信号に基づく他の無線通信機との識別をより困難にすることができる。
【００８７】
実施形態５．
次に、本発明の第５の実施形態の無線通信機１０について、図面を参照して説明する。図１２は、本発明の第５の実施形態の無線通信機１０の構成例を示すブロック図である。図１２に示すように、本発明の第５の実施形態の無線通信機１０は、増幅部１１、処理部１２、記憶部１３、およびパラメータ選択部１４を含む。
【００８８】
増幅部１１は、例えば、図１，６，１０に示す増幅部１２０、および図８に示す増幅部３２０に相当する。処理部１２は、例えば、図１，２，８，１０に示す入力信号処理部１１０、および図６に示す入力信号処理部２１０に相当する。記憶部１３は、例えば、図３，８，１０に示す記憶部１３１，３３１，４３１に相当する。パラメータ選択部１４は、例えば、図３，８，１０に示す指示部１３２，３３２，４３２に相当する。
【００８９】
増幅部１１は、信号を増幅して送信信号を生成する。
【００９０】
処理部１２は、信号および送信信号のうち少なくとも一方に処理を施す。
【００９１】
記憶部１３には、処理に用いられるパラメータが複数記憶されている。
【００９２】
パラメータ選択部１４は、記憶部１３に記憶されている複数のパラメータのうち一のパラメータを選択する。
【００９３】
そして、処理部１２は、パラメータ選択部１４が選択した一のパラメータに基づいて、処理を行う。
【００９４】
本実施形態によれば、パラメータ選択部１４が、処理部１２が処理に用いるパラメータを選択する。そして、処理部１２が、選択されたパラメータに基づいて、信号および送信信号のうち少なくとも一方に処理を施す。処理が施された送信信号、または処理が施されて増幅部１１によって増幅された送信信号は、送信される。
【００９５】
したがって、選択されたパラメータに基づく処理に応じた送信信号が送信される。よって、本発明の第５の実施形態の無線通信機１０は、送信信号の立ち上がり波形を変化させることができる。そして、送信信号に基づき他の無線通信機と識別されることを防ぐことができる。
【００９６】
上記の実施形態の一部又は全部は、以下の付記のようにも記載されうるが、以下には限られない。
【００９７】
（付記１）
信号を増幅して送信信号を生成する増幅手段と、
前記信号および前記送信信号のうち少なくとも一方に処理を施す処理手段と、
前記処理に用いられるパラメータが複数記憶された記憶手段と、
前記記憶手段に記憶されている複数のパラメータのうち一のパラメータを選択するパラメータ選択手段とを備え、
前記処理手段は、前記パラメータ選択手段が選択した前記一のパラメータに基づいて、前記処理を行う
ことを特徴とする無線通信機。
【００９８】
（付記２）
前記パラメータ選択手段は、前記記憶手段に記憶されている複数のパラメータのうち一のパラメータをランダムに選択する
ことを特徴とする付記１に記載の無線通信機。
【００９９】
（付記３）
前記処理手段は、入力信号に応じて搬送波を変調する変調処理を行う変調手段を含み、
前記増幅手段は、前記変調手段による変調処理後の信号を増幅し、
前記記憶手段には、前記変調処理に用いられるパラメータが複数記憶され、
前記変調手段は、前記パラメータ選択手段が選択した前記一のパラメータに基づいて、前記変調処理を行う
ことを特徴とする付記１または付記２に記載の無線通信機。
【０１００】
（付記４）
前記処理手段は、前記増幅手段の歪特性に応じて、前記増幅手段に入力される前記信号に歪補償処理を施す歪補償手段を含み、
前記記憶手段には、前記歪補償処理に用いられるパラメータが複数記憶され、
前記歪補償手段は、前記パラメータ選択手段が選択した前記一のパラメータに基づいて、前記信号に前記歪補償処理を施す
ことを特徴とする付記１から付記３のうちいずれか１項に記載の無線通信機。
【０１０１】
（付記５）
前記記憶手段には、前記増幅手段の複数の出力設定値に応じたパラメータがそれぞれ記憶され、
前記増幅手段は、前記パラメータ選択手段が選択した前記一のパラメータに基づいて、前記信号を増幅する
ことを特徴とする付記１から付記４のうちいずれか１項に記載の無線通信機。
【０１０２】
（付記６）
前記記憶手段には、前記増幅手段に供給し得る複数種類の電源電圧に応じたパラメータがそれぞれ記憶され、
前記パラメータ選択手段が選択した前記一のパラメータに基づいて、前記増幅手段に供給する電源電圧を制御する制御手段を含む
ことを特徴とする付記１から付記５のうちいずれか１項に記載の無線通信機。
【０１０３】
（付記７）
前記増幅手段が生成した前記送信信号に減衰処理を施す減衰手段を含み、
前記記憶手段には、前記減衰手段における減衰処理に応じたパラメータが複数記憶され、
前記減衰手段は、前記パラメータ選択手段が選択した前記一のパラメータに基づいて、前記送信信号に減衰処理を施し
減衰処理が施された前記送信信号が送信される
ことを特徴とする付記１から付記６のうちいずれか１項に記載の無線通信機。
【０１０４】
（付記８）
付記１から付記７のうちいずれかに記載の無線通信機によって送信された前記送信信号を受信する受信ユニットを備えた
ことを特徴とする無線通信機。
【０１０５】
（付記９）
付記１から付記８のうちいずれかに記載の無線通信機を複数備えた
ことを特徴とする無線通信システム。
【０１０６】
（付記１０）
信号を増幅して送信信号を生成し、
前記信号および前記送信信号のうち少なくとも一方に処理を施し、
前記処理に用いられるパラメータが複数記憶された記憶手段に記憶されている複数のパラメータのうち一のパラメータを選択し、
前記処理を、選択した前記一のパラメータに基づいて行う
ことを特徴とする無線通信方法。
【０１０７】
（付記１１）
コンピュータに、
信号を増幅して送信信号を生成する増幅処理と、
前記信号および前記送信信号のうち少なくとも一方に処理を施す信号処理と、
前記信号処理に用いられるパラメータが複数記憶された記憶手段に記憶されている複数のパラメータのうち一のパラメータを選択するパラメータ選択処理とを実行させ、
前記信号処理を、前記パラメータ選択処理において選択された前記一のパラメータに基づいて行わせる
ための無線通信用プログラム。
【０１０８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１０９】
この出願は、２０１６年６月２４日に出願された日本出願特願２０１６−１２５１４８を基礎とする優先権を主張し、その開示の全てをここに取り込む。
【符号の説明】
【０１１０】
１０、１００、２００、３００、４００    無線通信機
１１    増幅部
１２    処理部
１３、１３１、３３１、４３１    記憶部
１４    パラメータ選択部
１１０、２１０    入力信号処理部
１１１    Ａ−Ｄ変換部
１１２    デジタル変調部
１３０、３３０、４３０    制御部
１３２、３３２、４３２    指示部
２１３    プレディストータ
４５０    減衰部
【図１】
2017221918.tif 000003
【図２】
2017221918.tif 000004
【図３】
2017221918.tif 000005
【図４】
2017221918.tif 000006
【図５】
2017221918.tif 000007
【図６】
2017221918.tif 000008
【図７】
2017221918.tif 000009
【図８】
2017221918.tif 000010
【図９】
2017221918.tif 000011
【図１０】
2017221918.tif 000012
【図１１】
2017221918.tif 000013
【図１２】
2017221918.tif 000014
【国際調査報告】
2017221918.tif 000015
2017221918.tif 000016
2017221918.tif 000017
2017221918.tif 000018